(57)【特許請求の範囲】
【請求項１】
皮膚に貼付可能なシート状の粘着部と、創傷を覆って創傷を保護することのできるシート状の創傷保護部と、樹脂繊維からなるメッシュシートとを備え、各部材が一体化された切開創保護具であって、
前記切開創保護具は、前記メッシュシートにより、所望の形状に変形可能であり、かつ形状保持性を有しており、
前記メッシュシートを構成する樹脂繊維のうち、形状保持性が特に必要とされる方向の樹脂繊維の密度が、それ以外の方向の樹脂繊維の密度よりも大きいことを特徴とする切開創保護具。
【請求項２】
皮膚に貼付可能なシート状の粘着部と、創傷を覆って創傷を保護することのできるシート状の創傷保護部と、樹脂繊維からなるメッシュシートとを備え、各部材が一体化された切開創保護具であって、
前記切開創保護具は、前記メッシュシートにより、所望の形状に変形可能であり、かつ形状保持性を有しており、
前記メッシュシートは、前記メッシュシートを構成する樹脂繊維が、前記切開創保護具の主折曲線に対し、平面視において斜めに交差するように設けられていることを特徴とする切開創保護具。
【請求項３】
切開創の乾燥防止機能を有することを特徴とする請求項１または２に記載の切開創保護具。
【請求項４】
透湿度が３０００ｇ／ｍ２・２４ｈ以下であることを特徴とする請求項３に記載の切開創保護具。
【請求項５】
体液を吸収・保持することのできる吸液材を備えたことを特徴とする請求項１〜４のいずれかに記載の切開創保護具。
【発明の詳細な説明】
【０００１】
【発明の属する技術分野】
本発明は、切開を行う手術時に、切開創を擦傷、感染、乾燥等から保護するための切開創保護具に関するものである。
【０００２】
【従来の技術】
腹部や胸部の内臓にできたガンの切除手術や心臓等の内臓の手術は、正中線に沿って腹部や胸部を大きく切開することにより行われる。このとき、切開された皮膚は、鉗子等により開かれた状態に保たれるが、切開創については、何らの保護措置も取られていないのが現状である。
【０００３】
【発明が解決しようとする課題】
上記のように露出した切開創は、術者の腕や袖等によって擦られて傷付けられるおそれがあり、また感染の可能性もある。さらに、長時間にわたる手術が行われた場合には、切開創が乾燥することがある。切開創が乾燥すると、手術後の縫合が難しくなり、切開創の治癒も遅延する。
【０００４】
本発明は、このような実状に鑑みてなされたものであり、切開創を擦傷、感染、乾燥等から保護することのできる切開創保護具を提供することを目的とする。
【０００５】
【課題を解決するための手段】
上記目的を達成するために、第１に本発明は、皮膚に貼付可能なシート状の粘着部と、創傷を覆って創傷を保護することのできるシート状の創傷保護部と、樹脂繊維からなるメッシュシートとを備え、各部材が一体化された切開創保護具であって、前記切開創保護具は、前記メッシュシートにより、所望の形状に変形可能であり、かつ形状保持性を有しており、前記メッシュシートを構成する樹脂繊維のうち、形状保持性が特に必要とされる方向の樹脂繊維の密度が、それ以外の方向の樹脂繊維の密度よりも大きいことを特徴とする切開創保護具を提供する（発明１）。第２に本発明は、皮膚に貼付可能なシート状の粘着部と、創傷を覆って創傷を保護することのできるシート状の創傷保護部と、樹脂繊維からなるメッシュシートとを備え、各部材が一体化された切開創保護具であって、前記切開創保護具は、前記メッシュシートにより、所望の形状に変形可能であり、かつ形状保持性を有しており、前記メッシュシートは、前記メッシュシートを構成する樹脂繊維が、前記切開創保護具の主折曲線に対し、平面視において斜めに交差するように設けられていることを特徴とする切開創保護具を提供する（発明２）。第３に本発明は、皮膚に貼付可能なシート状の粘着部と、創傷を覆って創傷を保護することのできるシート状の創傷保護部とを備え、各部材が一体化された切開創保護具であって、前記創傷保護部は、前記切開創保護具の両面に設けられていることを特徴とする切開創保護具を提供する（発明３）。
【０００６】
これらの切開創保護具において、粘着部は切開創保護具の基材またはその基材に接着された別の部材に設けられていてもよく、また、創傷保護部は前記基材に設けられていてもよいし、前記粘着部を介して前記基材に接着されていてもよい。なお、本明細書における「切開創保護具の主折曲線」とは、主として切開創を覆うために切開創保護具を折り曲げる場合における、その折曲線（直線状）をいう。
【０００７】
上記発明（発明１〜３）によれば、粘着部により切開創保護具を患者の皮膚に貼付し、その患者の切開創を創傷保護部で覆うことにより、切開創は、術者の腕や袖等によって擦られて傷付けられるおそれはなくなり、また切開創が露出した状態と比較して感染の可能性も低くなる。
【０００８】
上記発明（発明３）において、前記創傷保護部は、前記切開創保護具の少なくとも一端部を被覆するように前記切開創保護具の両面に設けられていてもよい（発明４）。
【０００９】
上記発明（発明３，４）においては、金属板を備えていることが好ましい（発明５）。
【００１０】
上記発明（発明１，２，５）によれば、切開創保護具を折り曲げて創傷保護部で切開創を包み込み、その状態を維持することができるため、切開創を確実に保護することが可能となる。また、鉗子等により切開部を開く場合であっても、この切開創保護具の上から皮膚を摘んで引っ張ることにより、皮膚に対するダメージを低減させることができる。
【００１１】
特に、上記発明（発明１，２）によれば、切開創保護具の他の部材が樹脂からなれば、誤って電気メスが接触した場合であっても、ショートするおそれがなく、また、切開創保護具を廃棄する際に、他の部材との分別を必要としない。ここで、樹脂繊維からなるメッシュシートは、樹脂製のソリッドなシートと比較して、所望の形状に変形させ易いという利点がある。
【００１２】
なお、本発明に係る切開創保護具は、取扱い上シート状となっているのが好ましいが、このような形状に限定されるものではなく、例えば、あらかじめ一端部が切開創を包み込めるような形状、例えばフック状となっていてもよい。
【００１３】
また、上記発明（発明１）によれば、形状保持性が必要な樹脂繊維の密度がそれ以外の樹脂繊維の密度と同等以下である切開創保護具と比較して、形状保持性を高くすることができる。さらに、上記発明（発明２）によれば、切開創保護具の主折曲線に対する樹脂繊維の動きの自由度が高くなるため、主折曲線を切開創の形状に合わせて湾曲させた場合であっても、樹脂繊維がその変形に追従し易く、したがって切開創保護具を切開創の形状に合わせた形状に変形・維持し易くすることができる。
【００１４】
一方、上記発明（発明３）によれば、切開創を創傷保護部で覆ったときでも、臓器に接触するのは創傷保護部となり、切開創保護具の基材や形状保持材等が臓器を傷付けることを防止することができる。また、上記発明（発明４）によれば、切開創保護具の基材や形状保持材等の端部が臓器を傷付けることを防止することができる。
【００１５】
上記発明（発明５）において、前記金属板は、前記切開創保護具において部分的に配置されていることが好ましい（発明６）。一般的に金属板は透湿性を有しないが、このような構成によれば、切開創保護具の基材、粘着部、創傷保護部等の透湿度の下限を規定することにより、切開創や切開創保護具が覆っている部分の皮膚の蒸れを防止することが可能となる。なお、本発明（発明６）には、金属板としてパンチングメタルや金網を使用した場合も含まれるものとする。
【００１６】
上記発明（発明１〜６）に係る切開創保護具は、切開創の乾燥防止機能を有するのが好ましい（発明７）。そのために、前記切開創保護具は、透湿度が３０００ｇ／ｍ２・２４ｈ以下であるのが好ましい（発明８）。ここで、本明細書における透湿度は、ＪＩＳ Ｚ０２０８に準じて測定した値とする。
【００１７】
上記発明（発明７，８）によれば、切開創は乾燥から保護されるため、切開創の乾燥に起因する手術後の縫合性悪化および切開創の治癒遅延を防止することができる。なお、切開創保護具において、乾燥防止機能を有する部分は、切開創保護具の基材であってもよいし、粘着部、創傷保護部またはその他の部分であってもよい。
【００１８】
上記発明（発明１〜８）に係る切開創保護具は、体液を吸収・保持することのできる吸液材を備えたものであるのが好ましい（発明９）。かかる吸液材を備えることにより、創傷保護部等では吸収しきれない体液（例えば、切開創からの滲出液や血液）を吸収、保持することができる。
【００１９】
【発明の実施の形態】
以下、本発明の実施形態について説明する。
〔第１の実施形態〕
図１は本発明の第１の実施形態に係る切開創保護具の断面図、図２（ａ）は同実施形態に係る切開創保護具の上面図、図２（ｂ）は同実施形態に係る切開創保護具（剥離シートを剥離した状態）の下面図、図３は同実施形態に係る切開創保護具の使用例を示す概略斜視図である。
【００２０】
図１および図２に示すように、本発明の第１の実施形態に係る切開創保護具１Ａは、矩形シート状の基材２Ａと、基材２Ａの下面に積層された粘着剤層３Ａと、粘着剤層３Ａの下面の一部に積層された創傷保護材４Ａと、粘着剤層３Ａの下面に貼着され、創傷保護材４Ａをカバーする剥離シート５Ａとから構成される。
【００２１】
図２（ｂ）に示すように、創傷保護材４Ａは、剥離シート５Ａを粘着剤層３Ａから剥離したときに、粘着剤層３Ａが切開創保護具１Ａの一端部において露出するように、粘着剤層３Ａの一部に積層されている。
【００２２】
本実施形態における切開創保護具１Ａの形状は矩形としたが、この形状に限定されるものではなく、保護すべき切開創の形状に応じた形状とすればよい。また、切開創保護具１Ａの大きさは、切開創の大きさに応じた大きさとすればよい。
【００２３】
基材２Ａ
基材２Ａは、粘着剤層３Ａおよび粘着剤層３Ａを介して創傷保護材４Ａを支持するものである。この基材２Ａは、切開創の乾燥防止機能を有する材料で構成するのが好ましい。具体的には、基材２Ａは、樹脂シート、発泡シート、繊維集合体、樹脂シートと繊維集合体との積層体等から構成され、好ましくは、透湿度が３０００ｇ／ｍ２・２４ｈ以下、特に２０００ｇ／ｍ２・２４ｈ以下であるシートから構成される。
【００２４】
基材２Ａの透湿度が３０００ｇ／ｍ２・２４ｈ以下であると、切開創の乾燥を防止することができ、したがって切開創の乾燥に起因する手術後の縫合性悪化および切開創の治癒遅延を防止することができる。
【００２５】
基材２Ａに用いることができるシートとしては、ポリウレタン、ポリ塩化ビニル、ポリオレフィン（主にポリエチレン、ポリプロピレン）、エチレン酢酸ビニル共重合体、ポリエステルエラストマー等からなる樹脂シートや、それらの樹脂の独立発泡体からなる発泡シートが挙げられる。樹脂シートは、単一の樹脂からなるものであってもよいし、異なる種類の樹脂層を積層した積層体であってもよい。切開創の保護の観点からは、クッション性を有する発泡シートを使用するのが好ましい。なお、発泡シートの表面にはスキン層が形成されていてもよい。
【００２６】
基材２Ａが樹脂シートからなる場合、その厚さは、１０〜２００μｍであるのが好ましく、特に２０〜１５０μｍであるのが好ましい。また、基材２Ａが発泡シートからなる場合、その厚さは、０．５〜３ｍｍであるのが好ましく、特に１〜２ｍｍであるのが好ましい。
【００２７】
上記繊維集合体は、編織物であってもよいし、不織布であってもよい。このような繊維集合体を構成する繊維の種類は特に限定されるものではなく、例えば、ポリエステル繊維、ポリアミド繊維、ポリオレフィン繊維、アクリル繊維、塩化ビニル繊維、塩化ビニリデン繊維等の合成繊維、アセテート繊維等の半合成繊維、ビスコース繊維等の再生繊維、木綿等の天然繊維等を使用することができる。
【００２８】
基材２Ａが繊維集合体からなる場合、その目付量は、２０〜２００ｇ／ｍ２であるのが好ましく、特に４０〜１５０ｇ／ｍ２であるのが好ましい。
【００２９】
本実施形態のように基材２Ａが最上層となる場合、基材２Ａにおける少なくとも上面は、手術時に使用するライトからの光の反射を抑制し得ることが好ましく、例えば表面をマット状にすることや、色彩を目に対する刺激の低い緑色にすることが好ましい。
【００３０】
なお、基材２Ａを構成する樹脂シート、発泡シート、繊維集合体またはそれらの積層体は、所望の形状に変形可能であり、かつ形状保持性を有するものであってもよい。
【００３１】
粘着剤層３Ａ
粘着剤層３Ａは、皮膚、創傷、臓器等に対する悪影響の少ない粘着剤から構成するのが好ましい。このような粘着剤としては、アクリル系、シリコーン系、ポリウレタン系またはゴム系の粘着剤を使用することができる。
【００３２】
基材２Ａが切開創の乾燥防止機能を有しない場合には、粘着剤層３Ａが切開創の乾燥防止機能を備えていてもよく、この場合、粘着剤層３Ａの透湿度は３０００ｇ／ｍ２・２４ｈ以下であるのが好ましい。
【００３３】
粘着剤層３Ａの厚さは、通常１０〜８０μｍであり、好ましくは２０〜５０μｍである。
【００３４】
創傷保護材４Ａ
創傷保護材４Ａとしては、切開創を擦傷、感染等から保護することのできるものであれば特に限定されるものではないが、ガーゼ等の繊維集合体、特に手術用のガーゼが好ましく用いられる。ガーゼ等の繊維集合体は、編織物であってもよいし、不織布であってもよいし、編織物と不織布との積層体であってもよい。
【００３５】
ガーゼを構成する繊維は、通常のガーゼに用いられるものであればよく、綿やレーヨン等のセルロース繊維、ポリオレフィン繊維、あるいはそれらの繊維を混抄したもの等を例示することができる。ただし、耐水性や強度等が必要な場合には、ポリエステル系繊維等からなる不織布やポリエステル系繊維等を混紡した不織布を使用するのが好ましい。
【００３６】
繊維集合体としての創傷保護材４Ａの目付量は、３０〜２００ｇ／ｍ２であるのが好ましく、特に６０〜１２０ｇ／ｍ２であるのが好ましい。創傷保護材４Ａの目付量が３０ｇ／ｍ２以上であると、切開創からの滲出液を吸収、保持することができる。また、創傷保護材４Ａの目付量が２００ｇ／ｍ２を超えると、使用時における取扱いが困難になることがある。
【００３７】
剥離シート５Ａ
剥離シート５Ａとしては、従来公知のものを使用することができ、例えば、ポリエチレンテレフタレートフィルム、ポリプロピレンフィルム等の樹脂フィルムまたはグラシン紙、クレーコート紙、ラミネート紙（主にポリエチレンラミネート紙）等の紙をシリコーン系剥離剤等で剥離処理したものを使用することができる。剥離シート５Ａの厚さは、通常１０〜２００μｍ程度であり、好ましくは２０〜１００μｍ程度である。
【００３８】
切開創保護具１Ａの製造
本実施形態に係る切開創保護具１Ａの好ましい製造方法の一例を説明する。切開創保護具１Ａを製造するには、まず、粘着剤層３Ａを構成する粘着剤と、所望によりさらに溶媒とを含有する塗布剤を調製し、キスロールコーター、リバースロールコーター、ナイフコーター、ロールナイフコーター、ダイコーター等の塗工機によって剥離シート５Ａ上に塗布して乾燥させ、粘着剤層３Ａを形成する。そして、その粘着剤層３Ａの表面に基材２Ａを積層した後、一旦剥離シート５Ａを剥離して、粘着剤層３Ａの基材２Ａ側と反対側の面に創傷保護材４Ａを積層する。最後に、創傷保護材４Ａをカバーするようにして、剥離シート５Ａを再度粘着剤層３Ａの裏面露出部に貼着する。なお、剥離シート５Ａの剥離は、創傷保護材４Ａの積層が可能であれば、途中までの剥離、すなわち一部は粘着剤層３Ａに貼着したままであってもよい。
【００３９】
切開創保護具１Ａの使用
本実施形態に係る切開創保護具１Ａを使用して切開創を保護するには、まず剥離シート５Ａを粘着剤層３Ａから剥離し、露出した粘着剤層３Ａを図３に示すように患者の皮膚の適当な位置に貼付する。そして、切開創Ｗが創傷保護材４Ａの先端部で覆われるように、切開創保護具１Ａを切開創Ｗに対して軽く押さえ付ける。なお、本実施形態では、２つの切開創保護具１Ａを使用して左右両側の切開創Ｗを保護するようにしたが、これに限定されるものではない。
【００４０】
上記のように切開創保護具１Ａを切開創Ｗに適用することにより、切開創Ｗは、術者の腕や袖等によって擦られて傷付けられるおそれはなくなり、また切開創が露出した状態と比較して感染の可能性も低くなる。さらに、切開創Ｗは乾燥からも保護され得るため、切開創Ｗの乾燥に起因する手術後の縫合性悪化および切開創Ｗの治癒遅延を防止することができる。
【００４１】
〔第２の実施形態〕
本発明の第２の実施形態に係る切開創保護具１Ｂについて説明する。図４は本発明の第２の実施形態に係る切開創保護具の断面図、図５（ａ）は同実施形態に係る切開創保護具の上面図、図５（ｂ）は同実施形態に係る切開創保護具（剥離シートを剥離した状態）の下面図である。
【００４２】
図４および図５に示すように、本発明の第２の実施形態に係る切開創保護具１Ｂは、矩形シート状の基材２Ｂと、基材２Ｂの下面に積層された粘着剤層３Ｂと、粘着剤層３Ｂの下面の一部に積層された第１の創傷保護材４Ｂと、粘着剤層３Ｂの下面に貼着され、第１の創傷保護材４Ｂをカバーする剥離シート５Ｂと、基材２Ｂの上面の一部に接着剤層６Ｂを介して積層された第２の創傷保護材４Ｂ’とから構成される。
【００４３】
図５（ｂ）に示すように、第１の創傷保護材４Ｂは、剥離シート５Ｂを粘着剤層３Ｂから剥離したときに、粘着剤層３Ｂが切開創保護具１Ｂの一端部において露出するように、粘着剤層３Ｂの一部に積層されている。また、図５（ａ）に示すように、第２の創傷保護材４Ｂ’は、基材２Ｂの一端部（粘着剤層３Ｂが露出している側の端部）が露出するように、接着剤層６Ｂを介して基材２Ｂの一部に積層されている。
【００４４】
基材２Ｂ、粘着剤層３Ｂおよび剥離シート５Ｂとしては、第１の実施形態に係る切開創保護具１Ａの基材２Ａ、粘着剤層３Ａおよび剥離シート５Ａと同様のものを使用することができ、第１の創傷保護材４Ｂおよび第２の創傷保護材４Ｂ’としては、第１の実施形態に係る切開創保護具１Ａの創傷保護材４Ａと同様のものを使用することができる。
【００４５】
接着剤層６Ｂを構成する接着剤の種類としては、基材２Ｂと第２の創傷保護材４Ｂ’とを接着することができ、創傷、臓器等に対する悪影響の少ないものであれば特に限定されるものではない。このような接着剤としては、例えば、アクリル系、ゴム系、シリコーン系等の接着剤、あるいは感圧性接着剤、ヒートシールタイプの接着剤など種々の接着剤が用いられる。
【００４６】
接着剤層６Ｂは、接着剤の種類に応じた方法（塗工、圧着、融着等）により第２の創傷保護材４Ｂ’上に形成するのが好ましい。
【００４７】
基材２Ｂおよび粘着剤層３Ｂが切開創の乾燥防止機能を有しない場合には、接着剤層６Ｂが切開創の乾燥防止機能を備えていてもよく、この場合、接着剤層６Ｂの透湿度は３０００ｇ／ｍ２・２４ｈ以下であるのが好ましい。
【００４８】
接着剤層６Ｂの厚さは、通常１０〜８０μｍであり、好ましくは２０〜５０μｍである。
【００４９】
本実施形態に係る切開創保護具１Ｂの好ましい製造方法としては、前述した方法により第１の実施形態に係る切開創保護具１Ａと同様の構成のものを製造するとともに、接着剤層６Ｂを形成した第２の創傷保護材４Ｂ’を、その接着剤層６Ｂを介して基材２Ｂの上面に接着する方法が適用される。なお、第２の創傷保護材４Ｂ’を基材２Ｂの上面に接着するタイミングは特に限定されるものではない。
【００５０】
本実施形態に係る切開創保護具１Ｂの使用方法は、第１の実施形態に係る切開創保護具１Ａの使用方法と同様であるが、切開創保護具１Ｂでは、基材２Ｂの上面に第２の創傷保護材４Ｂ’が接着されているため、切開創Ｗを切開創保護具１Ｂで覆ったときでも、臓器に接触するのは基材２Ｂではなく第２の創傷保護材４Ｂ’となり、基材２Ｂが臓器を傷付けることを防止することができる。
【００５１】
なお、上記切開創保護具１Ｂにおいて、第１の創傷保護材４Ｂと第２の創傷保護材４Ｂ’とは、図６に示すように、基材２Ｂ（ならびに粘着剤層３Ｂおよび接着剤層６Ｂ）の一端部を被覆するように連続していてもよい。このような構成にすることにより、基材２Ｂの端部が臓器を傷付けることを、より確実に防止することができる。
【００５２】
〔第３の実施形態〕
本発明の第３の実施形態に係る切開創保護具１Ｃについて説明する。図７は本発明の第３の実施形態に係る切開創保護具の断面図、図８（ａ）は同実施形態に係る切開創保護具の上面図、図８（ｂ）は同実施形態に係る切開創保護具（剥離シートを剥離した状態）の下面図である。
【００５３】
図７および図８に示すように、本発明の第３の実施形態に係る切開創保護具１Ｃは、矩形シート状の積層体からなる基材２Ｃと、基材２Ｃの下面に積層された粘着剤層３Ｃと、粘着剤層３Ｃの下面の一部に積層された創傷保護材４Ｃと、粘着剤層３Ｃの下面に貼着され、創傷保護材４Ｃをカバーする剥離シート５Ｃとから構成される。基材２Ｃは、基材本体２１Ｃと、基材本体２１Ｃの上面に接着剤層２２Ｃを介して積層された金属板２３Ｃとから構成される。
【００５４】
図８（ｂ）に示すように、創傷保護材４Ｃは、剥離シート５Ｃを粘着剤層３Ｃから剥離したときに、粘着剤層３Ｃが切開創保護具１Ｃの一端部において露出するように、粘着剤層３Ｃの一部に積層されている。また、図８（ａ）に示すように、金属板２３Ｃの先端（粘着剤層３Ｃが露出している側と反対側の端）は、基材本体２１Ｃの端部がわずかに露出するように基材本体２１Ｃの端からオフセットされている。
【００５５】
本実施形態における切開創保護具１Ｃの形状は矩形としたが、この形状に限定されるものではなく、保護すべき切開創の形状に応じた形状とすればよい。例えば、切開創保護具１Ｃにおける折り曲げ部の両端部には、切欠きが形成されていてもよい。
【００５６】
基材本体２１Ｃ、粘着剤層３Ｃ、創傷保護材４Ｃおよび剥離シート５Ｃとしては、第１の実施形態に係る切開創保護具１Ａの基材２Ａ、粘着剤層３Ａ、創傷保護材４Ａおよび剥離シート５Ａと同様のものを使用することができ、接着剤層２２Ｃとしては、第２の実施形態に係る切開創保護具１Ｂの接着剤層６Ｂと同様のものを使用することができる。ただし、切開創保護具１Ｃには透湿性を有しない金属板２３Ｃが略全面に設けられているため、基材本体２１Ｃ、粘着剤層３Ｃおよび接着剤層２２Ｃの透湿度は特に限定されない。
【００５７】
金属板２３Ｃを構成する金属の種類としては、所望の形状に変形可能であり、かつ形状保持性を有するものであって、創傷、臓器等に対する悪影響の少ないものであれば特に限定されるものではない。そのような金属としては、例えば、アルミニウム、銅、ステンレススチール等が挙げられ、好ましくはアルミニウムが用いられる。
【００５８】
金属板２３Ｃの厚さは、１０〜３００μｍであるのが好ましく、特に３０〜２００μｍであるのが好ましい。
【００５９】
なお、本実施形態に係る金属板２３Ｃはソリッドな板状体であるが、この金属板２３Ｃは、パンチングメタルであってもよいし、金網であってもよい。また、電気メスが接触したときのショートを防止するために、金属板２３Ｃは樹脂でコーティングしてもよい。
【００６０】
接着剤層２２Ｃは、接着剤の種類に応じた方法（塗工、圧着、融着等）により金属板２３Ｃ上に形成するのが好ましい。接着剤層２２Ｃの厚さは、特に限定されないが、通常１０〜８０μｍである。
【００６１】
本実施形態に係る切開創保護具１Ｃの好ましい製造方法としては、前述した方法により第１の実施形態に係る切開創保護具１Ａと同様の構成のものを製造するとともに、接着剤層２２Ｃを形成した金属板２３Ｃを、その接着剤層２２Ｃを介して基材２Ｃの上面に接着する方法が適用される。なお、金属板２３Ｃを基材２Ｃの上面に接着するタイミングは特に限定されるものではない。
【００６２】
本実施形態に係る切開創保護具１Ｃを使用して切開創を保護するには、まず剥離シート５Ｃを粘着剤層３Ｃから剥離し、露出した粘着剤層３Ｃを図９に示すように患者の皮膚の適当な位置に貼付する。そして、切開創Ｗが創傷保護材４Ｃで覆われるように、切開創保護具１Ｃを切開創Ｗに対して軽く押さえ付けた後、切開創保護具１Ｃの先端部（切開創側の端部）を折り曲げて創傷保護材４Ｃで切開創Ｗを包み込む。
【００６３】
本実施形態に係る切開創保護具１Ｃには、金属板２３Ｃが設けられているため、切開創保護具１Ｃの先端部を折り曲げた場合であっても、その形状を保持することができ、したがって切開創Ｗを確実に保護することが可能となる。また、鉗子等により切開部を開く場合であっても、この切開創保護具１Ｃの上から皮膚を摘んで引っ張ることにより、皮膚に対するダメージを低減させることができる。なお、金属板２３Ｃの先端は、基材本体２１Ｃからオフセットされているため、金属板２３Ｃの先端（エッジ）が臓器を傷付ける可能性は低い。
【００６４】
本実施形態に係る切開創保護具１Ｃにおいても、第２の実施形態に係る切開創保護具１Ｂのように、金属板２３Ｃの上面に接着剤を介して第２の創傷保護材が設けられていてもよく、また図６に示すように、その第２の創傷保護材と創傷保護材４Ｃとは基材本体２１Ｃおよび金属板２３Ｃの一端部を被覆するように連続していてもよい。
【００６５】
〔第４の実施形態〕
本発明の第４の実施形態に係る切開創保護具１Ｄについて説明する。図１０は本発明の第４の実施形態に係る切開創保護具の断面図、図１１（ａ）は同実施形態に係る切開創保護具の上面図、図１１（ｂ）は同実施形態に係る切開創保護具（剥離シートを剥離した状態）の下面図である。
【００６６】
図１０および図１１に示すように、本発明の第４の実施形態に係る切開創保護具１Ｄは、矩形シート状の積層体からなる基材２Ｄと、基材２Ｄの下面に積層された粘着剤層３Ｄと、粘着剤層３Ｄの下面の一部に積層された創傷保護材４Ｄと、粘着剤層３Ｄの下面に貼着され、創傷保護材４Ｄをカバーする剥離シート５Ｄとから構成される。基材２Ｄは、基材本体２１Ｄと、基材本体２１Ｄの上面に接着剤層２２Ｄを介して積層された金属板２３Ｄとから構成される。
【００６７】
図１１（ｂ）に示すように、創傷保護材４Ｄは、剥離シート５Ｄを粘着剤層３Ｄから剥離したときに、粘着剤層３Ｄが切開創保護具１Ｄの一端部において露出するように、粘着剤層３Ｄの一部に積層されている。
【００６８】
また、図１１（ａ）に示すように、金属板２３Ｄは、切開創保護具１Ｄの一端部（粘着剤層３Ｄが露出している側の端部）を幹部２３１Ｄとし、その幹部２３１Ｄから垂直方向に４本の枝部２３２Ｄが差し出された幹−枝形状をなしており、各枝部２３２Ｄの先端は、基材本体２１Ｄの端部がわずかに露出するように、基材本体２１Ｄの端からオフセットされている。
【００６９】
基材本体２１Ｄ、粘着剤層３Ｄ、創傷保護材４Ｄおよび剥離シート５Ｄとしては、第１の実施形態に係る切開創保護具１Ａの基材２Ａ、粘着剤層３Ａ、創傷保護材４Ａおよび剥離シート５Ａと同様のものを使用することができ、接着剤層２２Ｄとしては、第２の実施形態に係る切開創保護具１Ｂの接着剤層６Ｂと同様のものを使用することができ、金属板２３Ｄとしては、第３の実施形態に係る切開創保護具１Ｃの金属板２３Ｃと同様のものを使用することができる。
【００７０】
本実施形態に係る切開創保護具１Ｄは、第３の実施形態に係る切開創保護具１Ｃの製造方法と同様の方法により製造することができ、また第３の実施形態に係る切開創保護具１Ｃの使用方法と同様の方法により使用することができる。
【００７１】
本実施形態に係る切開創保護具１Ｄの金属板２３Ｄは、基材本体２１Ｄにおいて部分的に配置されているため、基材本体２１Ｄおよび粘着剤層３Ｄの透湿度の下限を規定することにより、切開創保護具１Ｄが覆っている部分の皮膚の蒸れを防止することが可能となる。
【００７２】
本実施形態に係る切開創保護具１Ｄにおいても、第２の実施形態に係る切開創保護具１Ｂのように、金属板２３Ｄの上面に接着剤を介して第２の創傷保護材が設けられていてもよく、また図６に示すように、その第２の創傷保護材と創傷保護材４Ｄとは基材本体２１Ｄおよび金属板２３Ｄの一端部を被覆するように連続していてもよい。
【００７３】
〔第５の実施形態〕
本発明の第５の実施形態に係る切開創保護具１Ｅについて説明する。図１２は本発明の第５の実施形態に係る切開創保護具の断面図、図１３（ａ）は同実施形態に係る切開創保護具の上面図、図１３（ｂ）は同実施形態に係る切開創保護具（剥離シートを剥離した状態）の下面図である。
【００７４】
図１２および図１３に示すように、本発明の第５の実施形態に係る切開創保護具１Ｅは、片面に接着剤層２４Ｅを備えた第１の基材２Ｅと、片面に粘着剤層３Ｅを備え、その粘着剤層３Ｅを介して第１の基材２Ｅの上面一端部に接着された第２の基材２Ｅ’と、粘着剤層３Ｅの粘着面をカバーする剥離シート５Ｅと、第１の基材２Ｅおよび接着剤層２４Ｅにサンドイッチされたメッシュシート７Ｅと、第１の基材２Ｅの下側に積層された吸液材８Ｅと、片面に接着剤層４１Ｅを備え、その接着剤層４１Ｅを介して吸液材８Ｅおよび第１の基材２Ｅの下面に接着された創傷保護材４Ｅとから構成される。
【００７５】
第１の基材２Ｅは、図１２および図１３（ａ）に示すように、矩形の上シート部２０１Ｅと、上シート部２０１Ｅの１辺に連続する矩形の下シート部２０２Ｅと、上シート部２０１Ｅの３辺に連続する折り代部２０３Ｅとから構成される。
【００７６】
上記第１の基材２Ｅは、上シート部２０１Ｅおよび下シート部２０２Ｅの接着剤層２４Ｅ側でメッシュシート７Ｅをサンドイッチするように折り畳まれているとともに、折り代部２０３Ｅが創傷保護材４Ｅの下側に折り曲げられて創傷保護材４Ｅの下面に接着されており、全体として平面視矩形状とされている。このような構成を有する第１の基材２Ｅによれば、メッシュシート７Ｅが切開創保護具１Ｅから露出しないため、特にメッシュシート７Ｅを構成する樹脂繊維の端部によって切開創や内蔵が傷付けられることが防止される。
【００７７】
第１の基材２Ｅとしては、第１の実施形態に係る切開創保護具１Ａの基材２Ａと同様のものを使用することができるが、本実施形態では、切開創をメッシュシート７Ｅの端部から保護するためにも、クッション性を有する発泡シートを使用するのが好ましい。
【００７８】
第１の基材２Ｅの片面に形成されている接着剤層２４Ｅは、第１の基材２Ｅとメッシュシート７Ｅ、第１の基材２Ｅと創傷保護材４Ｅとを接着するためのものである。接着剤層２４Ｅを構成する接着剤としては、第２の実施形態に係る切開創保護具１Ｂの接着剤層６Ｂを構成する接着剤と同様のものを使用することができる。
【００７９】
粘着剤層３Ｅは、第２の基材２Ｅ’において切開創保護具１Ｅを患者の皮膚に貼付するとともに、第２の基材２Ｅ’を第１の基材２Ｅに接着するためのものであり、第１の実施形態に係る切開創保護具１Ａの粘着剤層３Ａを構成する粘着剤と同様の粘着剤を使用することができる。同じく、剥離シート５Ｅも、第１の実施形態に係る切開創保護具１Ａの剥離シート５Ａと同様のものを使用することができる。なお、本実施形態では、剥離シート５Ｅにおける第１の基材２Ｅ側の端部には折り返し部分が設けられているが、この折り返し部分をつまむことによって、手術用の手袋をした手によっても剥離シート５Ｅを粘着剤層３Ｅから剥離することが容易となる。
【００８０】
第２の基材２Ｅ’は、粘着剤層３Ｅを支持するとともに、その粘着剤層３Ｅを介して切開創保護具１Ｅを患者の皮膚に貼付する基部となるものであり、それらの目的が達成できれば、第２の基材２Ｅ’を構成する材料は特に限定されない。そのような材料としては、例えば、ポリオレフィン（主にポリエチレン、ポリプロピレン）、ポリウレタン、ポリ塩化ビニル、エチレン酢酸ビニル共重合体、ポリエステルエラストマー等の樹脂からなるシートを使用することができる。ただし、それら樹脂シートの上面には、手術時に使用するライトからの光の反射が抑制されるように、マット処理を施すのが好ましく、さらに樹脂シートの少なくとも上面を、目に対する色刺激の小さい緑色にするのが好ましい。
【００８１】
第２の基材２Ｅ’の厚さは、１０〜２００μｍであるのが好ましく、特に２０〜１５０μｍであるのが好ましい。
【００８２】
本実施形態では、第２の基材２Ｅ’は、第１の基材２Ｅの上シート部２０１Ｅの上面における上シート部２０１Ｅと下シート部２０２Ｅとが連続している側の端部に粘着剤層３Ｅを介して接着されている。
【００８３】
メッシュシート７Ｅは、樹脂繊維から構成されるものであり、一般的には樹脂繊維の織物または編物からなるが、所望の形状に変形可能であり、かつ形状保持性を有する樹脂繊維および形態を選択する必要がある。そのような樹脂繊維としては、ポリエチレン、ポリプロピレン、ポリエステル、ナイロン等を使用することができるが、形状保持性の点においてポリエチレンを使用するのが好ましい。また、メッシュシート７Ｅの形態は、平織、綾織、畳織等が一般的であるが、これに限定されるものではない。このような樹脂繊維からなるメッシュシート７Ｅは、樹脂製のソリッドなシートと比較して、所望の形状に変形させ易いという利点がある。
【００８４】
樹脂繊維の太さは、５００〜１０００μｍであるのが好ましく、特に７００〜９００μｍであるのが好ましい。また、メッシュシート７Ｅの目の大きさは、５〜１８メッシュであるのが好ましく、特に５〜８メッシュであるのが好ましい。
【００８５】
好ましいメッシュシート７Ｅの例を図１４および図１５に示す。図１４に示すメッシュシート７Ｅは、樹脂繊維を平織したものであり、形状保持性が特に必要とされる、切開創保護具１Ｅの主折曲線と直交する方向（横方向；図１４中矢印方向）の樹脂繊維の密度が、切開創保護具１Ｅの主折曲線と平行な方向（縦方向）の樹脂繊維の密度よりも大きくなっている。横方向の繊維密度は、縦方向の繊維密度の１〜５倍となっているのが好ましく、特に１．５〜３．０倍となっているのが好ましい。このようなメッシュシート７Ｅを使用した切開創保護具１Ｅによれば、横方向の繊維密度が縦方向の繊維密度と同等以下のメッシュシートを使用した切開創保護具７と比較して、切開創保護具１Ｅの主折曲線における形状保持性を高くすることができる。
【００８６】
一方、図１５に示すメッシュシート７Ｅは、樹脂繊維を平織したものであり、縦横各方向の樹脂繊維が、切開創保護具１Ｅの主折曲線に対し、平面視において斜めに交差するように、切開創保護具１Ｅに設けられている。この交差角度は、４５〜８０°であるのが好ましく、特に６０〜７０°であるのが好ましい。平織のメッシュシート７Ｅをこのように配置することにより、切開創保護具１Ｅの主折曲線に対する樹脂繊維の動きの自由度が高くなるため、切開創保護具１Ｅの主折曲線を切開創の形状に合わせて湾曲させた場合であっても、樹脂繊維がそのような変形に追従し易くなる。したがって、切開創保護具１Ｅを切開創の形状に合わせた形状に変形・維持し易くすることができる。
【００８７】
吸液材８Ｅは、切開創からの滲出液や血液等を吸収・保持することのできる材料からなる。そのような材料としては、例えば、吸水性樹脂をシート状、粉末状、繊維集合体等の形態にしたものを使用することができ、特に、東洋紡績株式会社製ランシール（登録商標）Ｆ等の吸水性樹脂からなる繊維を用いた不織布シートを使用するのが好ましい。
【００８８】
吸液材８Ｅの吸水量は、１ｍＬ／ｇ以上であるのが好ましく、特に５〜２００ｍＬ／ｇであるのが好ましい。また、吸液材８Ｅの目付量は、１０〜４００ｇ／ｍ２であるのが好ましく、特に３０〜３００ｇ／ｍ２であるのが好ましい。
【００８９】
基材２Ｅおよび接着剤層２４Ｅ，４１Ｅが切開創の乾燥防止機能を有しない場合には、吸液材８Ｅが切開創の乾燥防止機能を備えていてもよい。
【００９０】
本実施形態では、吸液材８Ｅは、折り畳まれた第１の基材２Ｅの下シート部２０２Ｅの下側に積層されているとともに、吸液材８Ｅを覆うようにして創傷保護材４Ｅが第１の基材２Ｅの下シート部２０２Ｅの下面に接着されることにより、第１の基材２Ｅに固定されている。
【００９１】
このような吸液材８Ｅの存在により、切開創保護具１Ｅは、創傷保護部４Ｅだけでは吸収しきれない体液を吸収、保持することができる。
【００９２】
創傷保護材４Ｅとしては、第１の実施形態に係る切開創保護具１Ａの創傷保護材４Ａと同様のものを使用することができるが、本実施形態では、吸液材８Ｅが体液を吸収して膨潤した場合であっても破れないような強度を有する材料、例えば、ポリエステル系繊維等からなる不織布やポリエステル系繊維等を混紡した不織布（例えばポリエチレンテレフタレートおよびレーヨンを混紡した不織布等）を使用するのが好ましい。
【００９３】
創傷保護材４Ｅの片面に形成されている接着剤層４１Ｅは、創傷保護材４Ｅと吸液材８Ｅ、創傷保護材４Ｅと第１の基材２Ｅとを接着するためのものである。接着剤層４１Ｅを構成する接着剤としては、第２の実施形態に係る切開創保護具１Ｂの接着剤層６Ｂを構成する接着剤と同様のものを使用することができる。
【００９４】
接着剤層４１Ｅの厚さは、１０〜５０μｍであるのが好ましく、特に２５〜３５μｍであるのが好ましい。
【００９５】
創傷保護材４Ｅは、接着剤層４１Ｅを介して、吸液材８Ｅを覆うようにして吸液材８Ｅの下面および第１の基材２Ｅの下シート部２０２Ｅの下面に接着されている。
【００９６】
本実施形態に係る切開創保護具１Ｅの好ましい製造方法の一例を説明する。切開創保護具１Ｅを製造するには、まず、第１の基材２Ｅと接着剤層２４Ｅとの積層体、第２の基材２Ｅ’と粘着剤層３Ｅと剥離シート５Ｅとの積層体、および創傷保護材４Ｅと接着剤層４１Ｅとの積層体を作製し、それぞれ所望の形状、大きさに成形する。特に、第１の基材２Ｅについては、上シート部２０１Ｅ、下シート部２０２Ｅおよび３つの折り代部２０３Ｅを有する形状に成形する。
【００９７】
次に、第１の基材２Ｅを、上シート部２０１Ｅおよび下シート部２０２Ｅの接着剤層２４Ｅ側でメッシュシート７Ｅをサンドイッチするように折り畳んだ後、第１の基材２Ｅの下シート部２０２Ｅの下側に吸液材８Ｅを積層し、その吸液材８Ｅを覆うようにして創傷保護材４Ｅを第１の基材２Ｅの下シート部２０２Ｅの下面に接着する。そして、第１の基材２Ｅの折り代部２０３Ｅを創傷保護材４Ｅの下側に折り曲げて創傷保護材４Ｅの下面に接着する。
【００９８】
一方、任意の段階にて、第２の基材２Ｅ’と粘着剤層３Ｅと剥離シート５Ｅとの積層体から剥離シート５Ｅを一部剥離し、それによって露出した粘着剤層３Ｅを介して第２の基材２Ｅ’を第１の基材２Ｅの上シート部２０１Ｅの上面一端部に接着する。
【００９９】
本実施形態に係る切開創保護具１Ｅは、第３の実施形態に係る切開創保護具１Ｃの使用方法と同様の方法により使用することができる。本実施形態に係る切開創保護具１Ｅには、変形可能であり、かつ形状保持性を有するメッシュシート７Ｅが設けられているため、切開創保護具１Ｅの先端部を折り曲げてその形状を保持することができ、したがって切開創を確実に保護することが可能となる。さらに、本実施形態に係る切開創保護具１Ｅでは、金属材料を使用していないため、電気メスが切開創保護具１Ｅに接触した場合であっても、ショートするおそれがなく、また、切開創保護具１Ｅを廃棄する際に、金属材料を分別する必要性がない。
【０１００】
ここで、図１６に示すように、上記切開創保護具１Ｅにおいて、第２の基材２Ｅ’は省略され、第２の基材２Ｅ’があった位置まで第１の基材２Ｅの上シート部２０１Ｅが延長されてもよい。この場合、第１の基材２Ｅにおける上シート部２０１Ｅと下シート部２０２Ｅとは別部材となり、上シート部２０１Ｅの片面に粘着剤層３Ｅが形成され、下シート部２０２Ｅの片面に接着剤層２４Ｅが形成され、上シート部２０１Ｅの粘着剤層３Ｅと下シート部２０２Ｅの接着剤層２４Ｅとでメッシュシート７Ｅがサンドイッチされることとなる。
【０１０１】
また、図１６に示すように、上記切開創保護具１Ｅにおける粘着剤層３Ｅを、メッシュシート７Ｅの近傍において非形成としてもよい。このように粘着剤層３Ｅ非形成部を設けることにより、手術用の手袋をした手によっても剥離シート５Ｅを粘着剤層３Ｅから剥離することが容易となる。
【０１０２】
さらに、図１７に示すように、上記切開創保護具１Ｅにおける第２の基材２Ｅ’、粘着剤層３Ｅおよび剥離シート５Ｅの積層体には、切開創保護具１Ｅの主折曲線と直交する方向（図１７中矢印方向）に切込Ｃが形成されてもよい。このように切込Ｃを形成することにより、切開創保護具１Ｅの主折曲線を切開創の形状に合わせて湾曲させ易くなる。
【０１０３】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【０１０４】
【実施例】
以下、実施例等により本発明をさらに具体的に説明するが、本発明の範囲はこれらの実施例等に限定されるものではない。
【０１０５】
〔実施例１〕
片面がシリコーン樹脂で剥離処理された剥離シート（リンテック株式会社製，商品名：ＫＰ８シロ，厚さ：８０μｍ）の剥離処理面に、アクリル系粘着剤（東洋インキ製造株式会社製，商品名：オリバインＢＰＳ４８４９−４０）をナイフコーターにより塗布し、１００℃で１分間乾燥させて厚さ２０μｍの接着剤層を形成した後、厚さ５０μｍのアルミニウム板と貼り合わせた。
【０１０６】
次に、上記アルミニウム板を、カッターを用いて図１１（ａ）に示すような幹−枝形状にカットした。そのアルミニウム板の寸法は、縦２５０ｍｍ、横９５ｍｍ、各枝部の長さ６５ｍｍ、幅３５ｍｍとした。
【０１０７】
上記幹−枝形状のアルミニウム板から剥離シートを剥離して、基材本体として透湿度９００ｇ／ｍ２・２４ｈのポリウレタンフィルム（厚さ：２５μｍ，寸法：縦２５０ｍｍ，横１００ｍｍ）に、上記接着剤層を介してアルミニウム板を接着し、得られた積層体を基材とした。このとき、アルミニウム板は、その枝部先端がポリウレタンフィルムの端から５ｍｍオフセットされるようにして当該ポリウレタンフィルムに積層された。
【０１０８】
一方、上記と同じ剥離シート（リンテック株式会社製，商品名：ＫＰ８シロ，厚さ：８０μｍ）の剥離処理面に、アクリル系粘着剤（東洋インキ製造株式会社製，商品名：オリバインＢＰＳ４８４９−４０）をナイフコーターにより塗布し、１００℃で１分間乾燥させて厚さ３０μｍの粘着剤層を形成した。この粘着剤層の透湿度は、１０００ｇ／ｍ２・２４ｈであった。
【０１０９】
このようにして形成された粘着剤層の表面に、上記基材をポリウレタンフィルムが粘着剤層に接するようにして重ね、粘着剤層を介して基材と剥離シートとを貼着した。
【０１１０】
次に、剥離シートを粘着剤層から剥離し、露出した粘着剤層に、創傷保護材としてレーヨン繊維からなるガーゼ（オーミケンシ株式会社製，商品名：ラミナインパッドＰＲＣＥ１５８０，目付量：８０ｇ／ｍ２，寸法：縦２５０ｍｍ，横７０ｍｍ）を重ねて両者を圧着した。このときガーゼは、粘着剤層の一端部（上記アルミニウム板の幹部側の端部）が３０ｍｍ露出するようにして粘着剤層に積層された。最後に、上記ガーゼをカバーするようにして、剥離シートを再度粘着剤層の露出部に貼着し、切開創保護具を得た。
【０１１１】
得られた切開創保護具は、粘着剤層を介して皮膚に貼付・固定することができた。また、切開創保護具におけるアルミニウム板枝部の部分は、所望の形状に折り曲げて変形可能であり、かつその形状を保つことができた。
【０１１２】
〔実施例２〕
（第１の基材）
片面がシリコーン樹脂で剥離処理された剥離シート（リンテック株式会社製，商品名：ＫＰ８シロ，厚さ：８０μｍ）の剥離処理面に、アクリル系粘着剤（東洋インキ製造株式会社製，商品名：オリバインＢＰＳ４８４９−４０）をナイフコーターにより塗布し、１００℃で１分間乾燥させて厚さ３０μｍの粘着剤層を形成した。
【０１１３】
このようにして形成された粘着剤層の表面に、第１の基材としてのポリエチレン発泡シート（積水化学工業社製，ボラーラ，厚さ：１．５ｍｍ，色：緑色，透湿度：３．１４ｇ／ｍ２・２４ｈ）を積層し、剥離シートと粘着剤層と第１の基材とからなる積層体を作製した。
【０１１４】
得られた積層体を、カッターを使用して、上シート部（縦２００ｍｍ，横１５０ｍｍ）と、上シート部の１辺に連続する下シート部（縦２００ｍｍ，横１５０ｍｍ）と、上シート部の３辺に連続する折り代部（幅２０ｍｍ）とからなる形状にカットした。
【０１１５】
（第２の基材）
片面がシリコーン樹脂で剥離処理された剥離シート（リンテック株式会社製，商品名：ＫＰ８シロ，厚さ：８０μｍ）の剥離処理面に、アクリル系粘着剤（東洋インキ製造株式会社製，商品名：オリバインＢＰＳ４８４９−４０）をナイフコーターにより塗布し、１００℃で１分間乾燥させて厚さ２０μｍの接着剤層を形成した。
【０１１６】
このようにして形成された粘着剤層の表面に、第２の基材としてのポリエチレンシート（林一ニ社製，ＬＬ−Ｍ・１００，厚さ：１００μｍ，表面マット処理）を積層し、剥離シートと粘着剤層と第２の基材とからなる積層体（縦２００ｍｍ，横１００ｍｍ）を作製した。
【０１１７】
（創傷保護材）
片面がシリコーン樹脂で剥離処理された剥離シート（リンテック株式会社製，商品名：ＫＰ８シロ，厚さ：８０μｍ）の剥離処理面に、アクリル系粘着剤（東洋インキ製造株式会社製，商品名：オリバインＢＰＳ４８４９−４０）をナイフコーターにより塗布し、１００℃で１分間乾燥させて厚さ３０μｍの粘着剤層を形成した。
【０１１８】
このようにして形成された粘着剤層の表面に、創傷保護材としてのポリエチレンテレフタレート不織布（デュポン社製，ソンタラ，目付量：４４ｇ／ｍ２）を積層し、剥離シートと粘着剤層と創傷保護材とからなる積層体（縦１９０ｍｍ，横１４０ｍｍ）を作製した。
【０１１９】
（メッシュシート）
メッシュシートとして、直径８５０μｍのポリエチレンフィラメントを縦方向の繊維密度が５本／１インチ、横方向の繊維密度が１０本／１インチとなるように平織したもの（縦１８０ｍｍ，横１４０ｍｍ）を用意した。
【０１２０】
（吸液材）
吸液材として、超吸水性樹脂繊維からなる不織布（東洋紡社製，ランシール２４０ｇ／ｍ２，吸水量（生理食塩水）：５０ｍＬ／ｇ，縦１６０ｍｍ，横１１０ｍｍ）を用意した。
【０１２１】
以上の材料を使用して、図１２〜図１４に示すような切開創保護具を製造した。具体的には、第１の基材から剥離シートを剥離し、上シート部および下シート部の接着剤層側でメッシュシートをサンドイッチするように折り畳んだ後、第１の基材の下シート部の下側に吸液材を積層した。そして、創傷保護材から剥離シートを剥離し、吸液材を覆うようにして創傷保護材を第１の基材の下シート部の下面に接着した後、第１の基材の折り代部を創傷保護材の下側に折り曲げて創傷保護材の下面に接着した。
【０１２２】
最後に、第２の基材から剥離シートを３０ｍｍ剥離し、それによって露出した粘着剤層を介して第２の基材を第１の基材の上シート部の上面一端部に接着して、切開創保護具を得た。
【０１２３】
得られた切開創保護具は、粘着剤層を介して皮膚に貼付・固定することができ、また、所望の形状に折り曲げて変形可能であり、かつその形状を保つことができた。この切開創保護具は、特に、主折曲線が縦方向になるような折り曲げに対する形状保持性が高かった。
【０１２４】
【発明の効果】
本発明の切開創保護具によれば、切開創を擦傷、感染、乾燥等から保護することができる。
【図面の簡単な説明】
【図１】  本発明の第１の実施形態に係る切開創保護具の断面図である。
【図２】  （ａ）は同実施形態に係る切開創保護具の上面図、（ｂ）は同実施形態に係る切開創保護具（剥離シートを剥離した状態）の下面図である。
【図３】  同実施形態に係る切開創保護具の使用例を示す概略斜視図である。
【図４】  本発明の第２の実施形態に係る切開創保護具の断面図である。
【図５】  （ａ）は同実施形態に係る切開創保護具の上面図、（ｂ）は同実施形態に係る切開創保護具（剥離シートを剥離した状態）の下面図である。
【図６】  同実施形態に係る切開創保護具の変形例を示す断面図である。
【図７】  本発明の第３の実施形態に係る切開創保護具の断面図である。
【図８】  （ａ）は同実施形態に係る切開創保護具の上面図、（ｂ）は同実施形態に係る切開創保護具（剥離シートを剥離した状態）の下面図である。
【図９】  同実施形態に係る切開創保護具の使用例を示す概略斜視図である。
【図１０】  本発明の第４の実施形態に係る切開創保護具の断面図である。
【図１１】  （ａ）は同実施形態に係る切開創保護具の上面図、（ｂ）は同実施形態に係る切開創保護具（剥離シートを剥離した状態）の下面図である。
【図１２】  本発明の第５の実施形態に係る切開創保護具の断面図である。
【図１３】  （ａ）は同実施形態に係る切開創保護具の上面図、（ｂ）は同実施形態に係る切開創保護具（剥離シートを剥離した状態）の下面図である。
【図１４】  同実施形態に係る切開創保護具において使用することのできるメッシュシートの平面図である。
【図１５】  同実施形態に係る切開創保護具において使用することのできるメッシュシートの平面図である。
【図１６】  同実施形態に係る切開創保護具の変形例を示す断面図である。
【図１７】  同実施形態に係る切開創保護具の変形例を示す上面図である。
【符号の説明】
１Ａ，１Ｂ，１Ｃ，１Ｄ，１Ｅ…切開創保護具
２Ａ，２Ｂ，２Ｃ，２Ｄ，２Ｅ，２Ｅ’…基材
２３Ｃ，２３Ｄ…金属板
３Ａ，３Ｂ，３Ｃ，３Ｄ，３Ｅ…粘着剤層（粘着部）
４Ａ，４Ｂ，４Ｃ，４Ｄ，４Ｅ…創傷保護材（創傷保護部）
７Ｅ…メッシュシート
８Ｅ…吸液材
【図１】
0004269147.tif 000002
【図２】
0004269147.tif 000003
【図３】
0004269147.tif 000004
【図４】
0004269147.tif 000005
【図５】
0004269147.tif 000006
【図６】
0004269147.tif 000007
【図７】
0004269147.tif 000008
【図８】
0004269147.tif 000009
【図９】
0004269147.tif 000010
【図１０】
0004269147.tif 000011
【図１１】
0004269147.tif 000012
【図１２】
0004269147.tif 000013
【図１３】
0004269147.tif 000014
【図１４】
0004269147.tif 000015
【図１５】
0004269147.tif 000016
【図１６】
0004269147.tif 000017
【図１７】
0004269147.tif 000018